(57)【要約】【課題】  ＥＲＰ（Ｅｔｈｅｒ  Ｒｉｎｇ  Ｐｒｏｔｅｃｔｉｏｎ）の制御情報を各ノードにて設定しており、このことが、設定を行う保守者に負担となっていた。さらに、ネットワークの規模が大きくなり、ノード数が多くなる程、保守者への負担が増加していた。【解決手段】  ＲＰＬ（Ｒｉｎｇ  Ｐｒｏｔｅｃｔｉｏｎ  Ｌｉｎｋ）  Ｏｗｎｅｒノードが自身に設定されたＥＲＰ設定情報をＲ−ＡＰＳ（Ｒｉｎｇ−Ａｕｔｏｍａｔｉｃ  Ｐｒｏｔｅｃｔｉｏｎ  Ｓｗｉｔｃｈｉｎｇ）パケットに書き込み、前記ＥＲＰ設定情報が書き込まれた前記Ｒ−ＡＰＳパケットをＥＲＰネットワーク内の全ての非ＲＰＬ  Ｏｗｎｅｒノードに配信し、前記全ての非ＲＰＬ  Ｏｗｎｅｒノードが前記配信されたＥＲＰ設定情報を自身に設定する複数のノードを含むことを特徴とするＥＲＰネットワークの設定システム。【選択図】      図１０
2014027543.tif 000002
【特許請求の範囲】
【請求項１】
自身に設定されたＥＲＰ（Ｅｔｈｅｒ  Ｒｉｎｇ  Ｐｒｏｔｅｃｔｉｏｎ）設定情報をＲ−ＡＰＳ（Ｒｉｎｇ−Ａｕｔｏｍａｔｉｃ  Ｐｒｏｔｅｃｔｉｏｎ  Ｓｗｉｔｃｈｉｎｇ）パケットに書き込み、前記ＥＲＰ設定情報が書き込まれた前記Ｒ−ＡＰＳパケットをＥＲＰネットワーク内の隣接した非ＲＰＬ（Ｒｉｎｇ  Ｐｒｏｔｅｃｔｉｏｎ  Ｌｉｎｋ）  Ｏｗｎｅｒノードに配信することを特徴とするＲＰＬ  Ｏｗｎｅｒノード。
【請求項２】
ＥＲＰネットワーク内の一方の隣接したノードからＥＲＰ設定情報を受信し、前記受信したＥＲＰ設定情報を自身に設定し、前記受信したＥＲＰ設定情報を前記ＥＲＰネットワーク内の他方の隣接したノードに転送することを特徴とする非ＲＰＬ  Ｏｗｎｅｒノード。
【請求項３】
請求項１に記載の１つのＲＰＬ  Ｏｗｎｅｒノードと、請求項２に記載の少なくとも１つの非ＲＰＬ  Ｏｗｎｅｒノードがリング状に接続されることを特徴とするＥＲＰネットワーク。
【請求項４】
ＲＰＬ  Ｏｗｎｅｒノードが自身に設定されたＥＲＰ設定情報をＲ−ＡＰＳパケットに書き込み、前記ＥＲＰ設定情報が書き込まれた前記Ｒ−ＡＰＳパケットをＥＲＰネットワーク内の全ての非ＲＰＬ  Ｏｗｎｅｒノードに配信し、前記全ての非ＲＰＬ  Ｏｗｎｅｒノードが前記配信されたＥＲＰ設定情報を自身に設定する複数のノードを含むことを特徴とするＥＲＰネットワークの設定システム。
【請求項５】
前記Ｒ−ＡＰＳパケットに書き込まれる前記ＥＲＰ設定情報が前記Ｒ−ＡＰＳパケットのＳｐｅｃｉｆｉｃ  Ｉｎｆｏｒｍａｔｉｏｎ領域のＳｕｂ−ｃｏｄｅフィールドまたはＳｐｅｃｉｆｉｃ  Ｉｎｆｏｒｍａｔｉｏｎ領域のＲｅｓｅｒｖｅｄ２フィールドに書き込まれることを特徴とする請求項１、３または４に記載のＥＲＰネットワークの設定システム。
【請求項６】
ＥＲＰネットワークを構成する複数のノードの内の１つであるＲＰＬ  Ｏｗｎｅｒノードに設定されたＥＲＰ設定情報をＲ−ＡＰＳパケットに書き込み、前記ＥＲＰ設定情報が書き込まれた前記Ｒ−ＡＰＳパケットを前記ＥＲＰネットワーク内の全ての非ＲＰＬ  Ｏｗｎｅｒノードに配信し、前記全ての非ＲＰＬ  Ｏｗｎｅｒノードに前記ＥＲＰ設定情報を設定することを特徴とするＥＲＰネットワークの設定方法。
【請求項７】
前記Ｒ−ＡＰＳパケットに書き込まれる前記ＥＲＰ設定情報が前記Ｒ−ＡＰＳパケットのＳｐｅｃｉｆｉｃ  Ｉｎｆｏｒｍａｔｉｏｎ領域のＳｕｂ−ｃｏｄｅフィールドまたはＳｐｅｃｉｆｉｃ  Ｉｎｆｏｒｍａｔｉｏｎ領域のＲｅｓｅｒｖｅｄ２フィールドに書き込まれることを特徴とする請求項６に記載のＥＲＰネットワークの設定方法。
【発明の詳細な説明】
【技術分野】
【０００１】
本発明は、ＥＲＰのノードおよびネットワーク、ＥＲＰネットワークの設定システムおよび設定方法に関する。
【背景技術】
【０００２】
中継網ネットワークにおいて、リング構成を施すことで通信経路の冗長化を図ることが可能である。ところが、一般的に、リング内で故障が発生すると、フレームがループして帯域が圧迫されてしまう。このようなループ障害を防ぎながら、フレーム転送経路の高速な切り替え処理を行うには、ＥＲＰが有効である。
【０００３】
ＥＲＰに関し、その情報設定において、ＶＬＡＮ（Ｖｉｒｔｕａｌ  Ｌｏｃａｌ  Ａｒｅａ  Ｎｅｔｗｏｒｋ）情報、ＥＲＰ基本情報、ＥＲＰ制御情報など多くの設定情報を扱う。図１は設定情報の管理形態イメージを示す図である。ＶＬＡＮ管理部１０において、装置に設定された装置ＶＬＡＮ情報１１（Ｎａｍｅ  Ｖｌａｎ）、およびポートに割り当てられたポートＶＬＡＮ情報１２（Ｐｏｒｔ  Ｖｌａｎ）が管理される。また、ＥＲＰ管理部１３において、ＥＲＰの制御パケット送受信で使用するＥＲＰ制御パケット送受信ＶＬＡＮ情報１４（Ｃｏｎｔｒｏｌ  Ｖｌａｎ）、およびＥＲＰで制御するＥＲＰ制御ＶＬＡＮ情報１５（Ｔｒａｆｆｉｃ  Ｖｌａｎ）が管理される。また、ＥＲＰ内の各ＶＬＡＮの間で設定情報の依存関係が存在する。なお、ＥＲＰの制御情報はＥＲＰ内の各ノードで同一である。
【０００４】
このような環境において、情報設定をノード毎に行う必要があり、設定などを行う保守者への負担がネットワークの規模に比例して増大していた。また、情報設定内容にミスがあった場合、ＥＲＰが正常に動作せず、ループが発生して、ネットワークが輻輳状態になる可能性があり、その原因調査も保守者への負担となっていた。
【０００５】
関連する技術として、特開２００８−２３６３１７号公報に、自動設定システム、基幹系ネットワーク装置、接続端末、自動設定方法、及びプログラムが開示されている。
【０００６】
この技術では、制御端末が、直接接続された親となる通信装置に対し、ネットワーク形態、装置台数、装置識別情報の元になるネットワーク名称及び、使用可能なＩＰアドレス一覧を設定する。親となる通信装置は、設定要求パケットを使用し、子となる通信装置に対し順番に、装置識別情報及びＩＰアドレスを通知する。子となる通信装置は、自装置の設定完了後、親となる通信装置に対し設定完了パケットを使用し通知する。親となる通信装置はネットワーク上の全ての通信装置から設定完了の通知を受信した後、制御端末に対し、装置識別情報及びＩＰアドレスの組み合わせ一覧情報を通知する。制御端末は、装置識別情報及びＩＰアドレスの組み合わせ一覧表を自動で作成する。
【先行技術文献】
【特許文献】
【０００７】
【特許文献１】特開２００８−２３６３１７号公報
【発明の概要】
【発明が解決しようとする課題】
【０００８】
ＥＲＰにおいて設定する制御情報は、特開２００８−２３６３１７号に開示されている技術において設定する装置識別情報やＩＰアドレスなどの情報よりも多量にある。また、ＥＲＰの制御情報はＥＲＰ内の各ノードで同一である。従来、このようなＥＲＰの制御情報を各ノードにて設定しており、このことが、設定を行う保守者に負担となっていた。さらに、ネットワークの規模が大きくなり、ノード数が多くなる程、保守者への負担が増加していた。
【０００９】
本発明の目的は、これらの課題を解決したＥＲＰのノードおよびネットワーク、ＥＲＰネットワークの設定システムおよび設定方法を提供することである。
【課題を解決するための手段】
【００１０】
本発明のＥＲＰネットワークの設定システムは、
ＲＰＬ（Ｒｉｎｇ  Ｐｒｏｔｅｃｔｉｏｎ  Ｌｉｎｋ）  Ｏｗｎｅｒノードが自身に設定されたＥＲＰ設定情報をＲ−ＡＰＳ（Ｒｉｎｇ−Ａｕｔｏｍａｔｉｃ  Ｐｒｏｔｅｃｔｉｏｎ  Ｓｗｉｔｃｈｉｎｇ）パケットに書き込み、前記ＥＲＰ設定情報が書き込まれた前記Ｒ−ＡＰＳパケットをＥＲＰネットワーク内の全ての非ＲＰＬ  Ｏｗｎｅｒノードに配信し、前記全ての非ＲＰＬ  Ｏｗｎｅｒノードが前記配信されたＥＲＰ設定情報を自身に設定する複数のノードを含むことを特徴とする。
【００１１】
本発明のＥＲＰネットワークの設定方法は、
ＥＲＰネットワークを構成する複数のノードの内の１つであるＲＰＬ  Ｏｗｎｅｒノードに設定されたＥＲＰ設定情報をＲ−ＡＰＳパケットに書き込み、前記ＥＲＰ設定情報が書き込まれた前記Ｒ−ＡＰＳパケットを前記ＥＲＰネットワーク内の全ての非ＲＰＬ  Ｏｗｎｅｒノードに配信し、前記全ての非ＲＰＬ  Ｏｗｎｅｒノードに前記ＥＲＰ設定情報を設定することを特徴とする。
【発明の効果】
【００１２】
本発明によれば、ＥＲＰの制御情報をＥＲＰ内の各ノードに自動的に設定することが可能になり、保守者への負担が軽減される。
【図面の簡単な説明】
【００１３】
【図１】設定情報の管理形態イメージを示す図である。
【図２】本発明の実施形態のＥＲＰネットワーク構成を示す図である。
【図３】ＥＲＰ設定のフローを示す図である。
【図４】Ｒ−ＡＰＳパケットの内容を示す図である。
【図５】Ｒ−ＡＰＳパケットで伝達される情報を示す図である。
【図６】ＥＲＰの自動設定のＲＰＬ  Ｏｗｎｅｒにおけるフローを示す図である。
【図７】ＥＲＰネットワークにおけるパケットの流れを示す図である。
【図８】ＥＲＰの自動設定の非ＲＰＬ  Ｏｗｎｅｒにおけるフローを示す図である。
【図９】自動設定する制御情報がＴｒａｆｆｉｃ  Ｖｌａｎ  の場合における特別な動作を示す図である。
【図１０】第２の実施形態の設定のフローを示す図である。
【発明を実施するための形態】
【００１４】
本発明の第１の実施の形態について、図面を参照して詳細に説明する。
【００１５】
なお、ノード数が４台となっているが、ノード数が２台以上の場合についても同様である。
【００１６】
図２は本発明の実施形態におけるＥＲＰネットワークの構成を示す図である。複数台のノード、すなわち、ノードＡ２０、ノードＢ２１、ノードＣ２２、ノードＤ２３を単にリング型に接続した状態のままでは、どれか１つのノードからパケットが送信された場合、ループが発生するので、基本設定として、どこかのポートでループを回避する必要がある。このため、ノードＡ２０が保持するポート２４でパケットのブロック（トラフィックの閉塞）を行うように設定をした場合、ノードＡ２０はＲＰＬを持つノードであるＲＰＬ  Ｏｗｎｅｒとなる。ＥＲＰ機能を備えるこのネットワークは、ネットワークの管理、および障害発生時の高速な経路切替を行う。
【００１７】
ＥＲＰの設定は、大まかに２種類の設定に分けられる。ＥＲＰのパケットの送受信を行うための基本設定と、ネットワークを管理するための制御設定である。それぞれの設定内容を次に示す。
【００１８】
基本設定
・Ｒｉｎｇ  ＩＤ  …  Ｒｉｎｇの番号
・Ｒｉｎｇ  Ｐｏｒｔ  …  Ｒｉｎｇで使用するポート
・Ｃｏｎｔｒｏｌ  Ｖｌａｎ  …  ＥＲＰの制御フレームを送信するためのＶＬＡＮ  ＩＤ制御設定
・ＥＲＰ  Ｖｅｒｓｉｏｎ  …  ＥＲＰの動作バージョン
・Ｒｉｎｇ  Ｔｙｐｅ  …  Ｒｉｎｇのタイプ
・Ｒ−ＡＰＳ  Ｍｅｓｓａｇｅ  Ｐｒｉｏｒｉｔｙ  …  メッセージのプライオリティ
・Ｒ−ＡＰＳ  Ｍｅｓｓａｇｅ  ＭＥＧ  Ｌｅｖｅｌ  …  メッセージのＭＥＧレベル
・Ｔｒａｆｆｉｃ  Ｖｌａｎ  …  ＥＲＰで制御するＶＬＡＮ情報
なお、基本設定のＣｏｎｔｒｏｌ  Ｖｌａｎを設定するには、事前に装置に対して、Ｎａｍｅ  ＶｌａｎとＰｏｒｔ  Ｖｌａｎを設定する必要がある。
【００１９】
次に、本発明の実施形態の動作について説明する。
【００２０】
基本設定は、ERPのパケット送受信のための情報の設定であるため、各ノードにて行う必要がある。一方、制御設定については、設定情報が同一ＲｉｎｇＩＤ内で共通である。そこで、ＲＰＬ  Ｏｗｎｅｒの設定情報を非ＲＰＬ  Ｏｗｎｅｒに伝達して自動設定する方法をさらに次に説明する。
＜初期設定＞
図３はＥＲＰ設定のフローを示す図である。図３のＲＰＬ  Ｏｗｎｅｒ３０に初期設定３２で次の初期設定を行う。
１）装置にＣｏｎｔｌｏｌ  Ｖｌａｎとして使用するＮａｍｅ  Ｖｌａｎの設定を行う。
２）装置にＥＲＰのパケット送受信を行うポートにＰｏｒｔ  Ｖｌａｎの設定を行う。
３）ＥＲＰの基本設定を行う。
４）ＲＰＬ  Ｏｗｎｅｒ設定を行う。
【００２１】
図３の非ＲＰＬ  Ｏｗｎｅｒ３１に初期設定３３で次の初期設定を行う。
１）装置にＣｏｎｔｌｏｌ  Ｖｌａｎとして使用するＮａｍｅ  Ｖｌａｎの設定を行う。
２）装置にＥＲＰのパケット送受信を行うポートにＰｏｒｔ  Ｖｌａｎの設定を行う。
３）ＥＲＰの基本設定を行う。
４）装置にＣｏｎｆｉｇ（Ｃｏｎｆｉｇｕｒａｔｉｏｎ）自動反映モードの設定を行う。（ノード単位でＣｏｎｆｉｇ自動反映に対応させるため）
＜制御設定および自動設定開始＞
上記設定が全て終了した状態で、図３のＲＰＬ  Ｏｗｎｅｒ３０に制御開始３４で次の設定を行う。
１）ＲＰＬ  Ｏｗｎｅｒに制御情報の設定を行う。
２）ＲＰＬ  ＯｗｎｅｒにＣｏｎｆｉｇ自動反映モードの有効設定を行う。
＜ＲＰＬ  Ｏｗｎｅｒの動作内容＞
ＲＰＬ  Ｏｗｎｅｒは、自身の制御情報を、図４のＲ−ＡＰＳパケットのＲ−ＡＰＳ  Ｓｐｅｃｉｆｉｃ  Ｉｎｆｏｒｍａｔｉｏｎ４０の領域や図５で定義されている値を使用して、非ＲＰＬ  Ｏｗｎｅｒに伝達する。
【００２２】
図６はＥＲＰの自動設定のＲＰＬ  Ｏｗｎｅｒにおけるフローを示す図である。
１）ＲＰＬ  Ｏｗｎｅｒ３０は、Ｒ−ＡＰＳパケットのＲ−ＡＰＳ  Ｓｐｅｃｉｆｉｃ  Ｉｎｆｏｒｍａｔｉｏｎ４０のＳｕｂ−ｃｏｄｅフィールドに０００１（Ｓｔａｒｔ）を書き込んでパケットを送信する（図３および図６のＲ−ＡＰＳパケット（Ｓｔａｒｔ）３５（送信））。
２）ＲＰＬ  Ｏｗｎｅｒ３０は、後に説明するように、非ＲＰＬ  Ｏｗｎｅｒを経由したＲ−ＡＰＳパケット（Ｓｔａｒｔ）３５を自身で受信する（図６のＲ−ＡＰＳパケット（Ｓｔａｒｔ）３５（受信））。すると、パケットを廃棄するとともに、ＥＲＰネットワーク構築済と判断し、自身の制御情報をＲ−ＡＰＳパケットに書き込んでパケットの送信を開始する（図３および図６のＲ−ＡＰＳパケット（Ｃｏｎｆｉｇ）３６（送信））。後述するように、非ＲＰＬ  Ｏｗｎｅｒを経由したＲ−ＡＰＳパケット（Ｃｏｎｆｉｇ）３６を自身で受信する（図６のＲ−ＡＰＳパケット（Ｓｔａｒｔ）３５（受信））と、パケットを廃棄する。なお、ＲＰＬ  Ｏｗｎｅｒ３０の制御情報の書き込みおよび送信について、図４、図５にもとづいて、順次、各Ｓｕｂ−Ｃｏｄｅに対応する制御情報をＲ−ＡＰＳ  Ｓｐｅｃｉｆｉｃ  Ｉｎｆｏｒｍａｔｉｏｎ４０のＲｅｓｅｒｖｅｄ２フィールドに書き込んで送信する。ただし、Ｒｅｓｅｒｖｅｄ２フィールドが２４ｏｃｔｅｔｓしかないため、５１２ｏｃｔｅｓのＴｒａｆｆｉｃ  Ｖｌａｎ情報は分割してパケットを送信する。
３）制御情報の送信が完了した後、ＲＰＬ  Ｏｗｎｅｒ３０は、Ｒ−ＡＰＳパケットのＲ−ＡＰＳ  Ｓｐｅｃｉｆｉｃ  Ｉｎｆｏｒｍａｔｉｏｎ４０の領域のＳｕｂ−ｃｏｄｅフィールドに１１１１（Ｅｎｄ）を書き込んでパケットを送信する（図３および図６のＲ−ＡＰＳパケット（Ｅｎｄ）３７（送信））。ＲＰＬ  Ｏｗｎｅｒ３０は、後述するように、非ＲＰＬ  Ｏｗｎｅｒを経由したＲ−ＡＰＳパケット（Ｅｎｄ）３７を自身で受信する（図６のＲ−ＡＰＳパケット（Ｅｎｄ）３７（受信））と、Ｃｏｎｆｉｇ自動反映モードの解除設定を行う。
【００２３】
なお、Ｃｏｎｆｉｇ自動設定モードが有効な場合、手動による設定変更を認めないようにしておく。また、図７にてＥＲＰネットワークにおけるパケットの流れを補足説明する。すなわち、ＲＰＬ  Ｏｗｎｅｒ３０は、全てのポートからＲ−ＡＰＳパケットを送信し、自身の送信したＲ−ＡＰＳパケットを受信すると、破棄する。
＜非ＲＰＬ  Ｏｗｎｅｒの動作内容＞
図８はＥＲＰの自動設定の非ＲＰＬ  Ｏｗｎｅｒにおけるフローを示す図である。
【００２４】
非ＲＰＬ  Ｏｗｎｅｒは、受信したＲ−ＡＰＳパケットの転送処理を行う。
１）非ＲＰＬ  Ｏｗｎｅｒ３１は、Ｒ−ＡＰＳパケットのＲ−ＡＰＳ  Ｓｐｅｃｉｆｉｃ  Ｉｎｆｏｒｍａｔｉｏｎ４０のＳｕｂ−ｃｏｄｅフィールドに０００１（Ｓｔａｒｔ）が書き込まれているＲ−ＡＰＳパケットを受信する（図３および図８のＲ−ＡＰＳパケット（Ｓｔａｒｔ）３５（受信））。そして、Ｃｏｎｆｉｇ自動反映モードの有効設定を行い（図３の自動反映開始３８）、受信したＲ−ＡＰＳパケットを転送する（図８のＲ−ＡＰＳパケット（Ｓｔａｒｔ）３５（転送））。
２）非ＲＰＬ  Ｏｗｎｅｒ３１は、ＲＰＬ  Ｏｗｎｅｒの制御情報が書き込まれているＲ−ＡＰＳパケットを受信する（図３および図８のＲ−ＡＰＳパケット送信（Ｃｏｎｆｉｇ）３６（受信））。すると、ＲＰＬ  Ｏｗｎｅｒの制御情報を自身に自動設定し（図３のＣｏｎｆｉｇ設定３９）、受信したＲ−ＡＰＳパケットを転送する（図８のＲ−ＡＰＳパケット（Ｃｏｎｆｉｇ）３６（転送））。図９で、自動設定する制御情報がＴｒａｆｆｉｃ  Ｖｌａｎ  の場合における特別な動作を説明する。すなわち、自動設定するＴｒａｆｆｉｃ  Ｖｌａｎ  情報がＶｌａｎ管理部１０に存在しない場合、Ｎａｍｅ  Ｖｌａｎ１１とＰｏｒｔ  Ｖｌａｎ１２への設定も同時に行う。
３）非ＲＰＬ  Ｏｗｎｅｒ３１は、Ｒ−ＡＰＳパケットのＲ−ＡＰＳ  Ｓｐｅｃｉｆｉｃ  Ｉｎｆｏｒｍａｔｉｏｎ４０のＳｕｂ−ｃｏｄｅフィールドに１１１１（Ｅｎｄ）が書き込まれているＲ−ＡＰＳパケットを受信する（図３および図８のＲ−ＡＰＳパケット送信（Ｅｎｄ）３７（受信））。そして、Ｃｏｎｆｉｇ自動反映モードの解除設定を行い（図３の自動反映終了３１０）、受信したＲ−ＡＰＳパケットを転送する（図８のＲ−ＡＰＳパケット（Ｅｎｄ）３７（転送））。
【００２５】
なお、Ｃｏｎｆｉｇ自動反映モードが有効な場合、パケットを無視し、また、手動による設定変更を認めないようにする。
【００２６】
以上のように、ＲＰＬ  Ｏｗｎｅｒノードに設定されたＥＲＰの制御情報が非ＲＰＬ  Ｏｗｎｅｒノード、すなわち他の全てのノードに自動的に設定される。これにより、保守者がＲＰＬ  ＯｗｎｅｒノードにＥＲＰの制御情報を設定すれば自動的に他の全てのノードにＥＲＰの制御情報が設定され、保守者への負担が軽減される。
【００２７】
本発明の第２の実施の形態について、図面を参照して詳細に説明する。
【００２８】
図１０は第２の実施形態の設定のフローを示す図である。
【００２９】
ＲＰＬ  Ｏｗｎｅｒ３０が自身に設定されたＥＲＰ設定情報１００をＲ−ＡＰＳパケットに書き込み、そのＲ−ＡＰＳパケットを全ての非ＲＰＬ  Ｏｗｎｅｒ３１に送信する。全ての非ＲＰＬ  Ｏｗｎｅｒ３１がそのＲ−ＡＰＳパケットを受信し（Ｒ−ＡＰＳパケット送受信１０１）、受信したＥＲＰ設定情報を設定する（ＥＲＰ情報設定１０２）。
【００３０】
以上のように、ＲＰＬ  Ｏｗｎｅｒノードに設定されたＥＲＰの制御情報が非ＲＰＬ  Ｏｗｎｅｒノード、すなわち他の全てのノードに自動的に設定される。これにより、保守者がＲＰＬ  ＯｗｎｅｒノードにＥＲＰの制御情報を設定すれば自動的に他の全てのノードにＥＲＰの制御情報が設定され、保守者への負担が軽減される。
【産業上の利用可能性】
【００３１】
本発明は、ＥＲＰのノードおよびネットワーク、ＥＲＰネットワークの設定システムおよび設定方法に利用可能である。
【符号の説明】
【００３２】
１０  ＶＬＡＮ管理部
１１  装置ＶＬＡＮ情報
１２  ポートＶＬＡＮ情報
１３  ＥＲＰ管理部
１４  ＥＲＰ制御パケット送受信ＶＬＡＮ情報
１５  ＥＲＰ制御ＶＬＡＮ情報
２０  ノードＡ
２１  ノードＢ
２２  ノードＣ
２３  ノードＤ
２４  ポート
３０  ＲＰＬ  Ｏｗｎｅｒ
３１  非ＲＰＬ  Ｏｗｎｅｒ
３２  初期設定
３３  初期設定
３４  制御開始
３５  Ｒ−ＡＰＳパケット（Ｓｔａｒｔ）
３６  Ｒ−ＡＰＳパケット（Ｃｏｎｆｉｇ）
３７  Ｒ−ＡＳＰパケット（Ｅｎｄ）
３８  自動反映開始
３９  Ｃｏｎｆｉｇ設定
３１０  自動反映終了
４０  Ｒ−ＡＰＳ  Ｓｐｅｃｉｆｉｃ  Ｉｎｆｏｒｍａｔｉｏｎ
１００  ＥＲＰ設定情報
１０１  Ｒ−ＡＰＳパケット送受信
１０２  ＥＲＰ情報設定
【図１】
2014027543.tif 000003
【図２】
2014027543.tif 000004
【図３】
2014027543.tif 000005
【図４】
2014027543.tif 000006
【図５】
2014027543.tif 000007
【図６】
2014027543.tif 000008
【図７】
2014027543.tif 000009
【図８】
2014027543.tif 000010
【図９】
2014027543.tif 000011
【図１０】
2014027543.tif 000012